(57)【要約】【課題】透明または半透明材料内部にレーザー加工により形成された極めて高精細かつ高精度の画像を十分に際立たせ、優れた演出効果を得ることができる照明を行うことができ、しかも観察者には光源の位置が分からず、独特の不思議な感覚を生じさせることができる照明光源付き置物およびそのような照明光源付き置物を容易に製造することができる製造方法を提供する。【解決手段】照明光源付き置物は、透明または半透明材料内部にレーザー加工により形成された画像１１を有し、裏面が黒色または暗色に処理され、裏面から正面に向かって広がるように形成された傾斜した側面および天面を有する置物１０と、置物１０の天面に密着した厚さが５０μｍ以下の無機ＥＬシート２０とを有する。伸縮可能なテープ３０を引き伸ばした状態で無機ＥＬシート２０を覆うように置物１０の天面に接着することで無機ＥＬシート２０を置物１０の天面に密着させる。【選択図】図１
2019069548.tif 000002
【特許請求の範囲】
【請求項１】
透明または半透明材料内部にレーザー加工により形成された画像を有し、裏面が黒色または暗色に処理され、裏面から正面に向かって広がるように形成された傾斜した側面および天面を有する置物と、
上記置物の天面に密着した厚さが５０μｍ以下の無機ＥＬシートと、
を有することを特徴とする照明光源付き置物。
【請求項２】
上記無機ＥＬシートは、電気絶縁性を有する伸縮可能なテープまたはシートが引き伸ばされた状態で上記無機ＥＬシートを覆うように上記置物の天面に接着されていることにより上記置物の天面に対して押圧されていることを特徴とする請求項１記載の照明光源付き置物。
【請求項３】
上記テープまたはシートはゴムからなることを特徴とする請求項２記載の照明光源付き置物。
【請求項４】
上記ゴムはシリコーンゴムであることを特徴とする請求項３記載の照明光源付き置物。
【請求項５】
上記置物はガラスからなることを特徴とする請求項１〜３のいずれか一項記載の照明光源付き置物。
【請求項６】
透明または半透明材料内部にレーザー加工により形成された画像を有し、裏面が黒色または暗色に処理され、裏面から正面に向かって広がるように形成された傾斜した側面および天面を有する置物の天面に厚さが５０μｍ以下の無機ＥＬシートを密着させる工程を有する照明光源付き置物の製造方法。
【請求項７】
上記置物の天面に上記無機ＥＬシートを載せた後、電気絶縁性を有する伸縮可能なテープまたはシートを引き伸ばした状態で上記無機ＥＬシートを覆うように上記置物の天面に接着することにより上記置物の天面に対して上記無機ＥＬシートを押圧することを特徴とする請求項６記載の照明光源付き置物の製造方法。
【発明の詳細な説明】
【技術分野】
【０００１】
この発明は、照明光源付き置物およびその製造方法に関し、例えば、クリスタルガラスからなる置物の内部にレーザー加工により画像が形成され、その画像の照明が可能な照明光源付き置物およびその製造に適用して好適なものである。
【背景技術】
【０００２】
従来より、クリスタルガラスの内部にレーザー加工により画像を形成する技術が知られており、この技術を用いて置物が製造されている。特に、特許文献１には、透明または半透明材料内部にレーザー加工により形成された画像を有し、裏面が黒色または暗色に処理され、裏面から正面に向かって広がるように形成された傾斜した側面および天面を有する置物が記載されている。
【０００３】
従来、このようなクリスタルガラス製の置物の内部の照明用の光源としてはＬＥＤ照明装置が用いられ、このＬＥＤ照明装置が置物の裏面または底面に取り付けられていた。
【先行技術文献】
【特許文献】
【０００４】
【特許文献１】特許第５３０５２０３号明細書
【発明の概要】
【発明が解決しようとする課題】
【０００５】
しかしながら、例えば特許文献１に記載の置物の裏面にＬＥＤ照明装置を取り付けて照明を行った場合には、画像が極めて高精細かつ高精度であっても、その画像を十分に際立たせることができる程に高い演出効果を得ることは必ずしも簡単ではなかった。
【０００６】
そこで、この発明が解決しようとする課題は、透明または半透明材料内部にレーザー加工により形成された極めて高精細かつ高精度の画像を十分に際立たせ、優れた演出効果を得ることができる照明を行うことができ、しかも観察者には光源の位置が分からず、独特の不思議な感覚を生じさせることができる照明光源付き置物およびそのような照明光源付き置物を容易に製造することができる製造方法を提供することである。
【課題を解決するための手段】
【０００７】
本発明者らは、上記の課題を解決すべく鋭意研究を行う中で、照明光源として、厚さが０．２〜１ｍｍの従来の一般的な無機ＥＬシートに比べて超薄型に加工製作したフレキシブルな特殊な無機ＥＬシートを用いることに着目し、この無機ＥＬシートを特許文献１の置物の天面にその厚みを全く認識できないように密着させ、この無機ＥＬシートにより照明を行ったところ、置物の内部に形成された極めて高精細かつ高精度の画像を予期しない程に十分に際立たせることができ、高い演出効果を得ることができ、しかも置物を見ても光源の位置が分からないことを見出し、この発明を案出するに至った。
【０００８】
すなわち、上記課題を解決するために、この発明は、
透明または半透明材料内部にレーザー加工により形成された画像を有し、裏面が黒色または暗色に処理され、裏面から正面に向かって広がるように形成された傾斜した側面および天面を有する置物と、
上記置物の天面に密着した厚さが５０μｍ以下の無機ＥＬシートと、
を有することを特徴とする照明光源付き置物である。
【０００９】
この照明光源付き置物においては、置物の天面に密着した無機ＥＬシートが画像の照明光源となる。無機ＥＬシートは、この無機ＥＬシートから面状に発する光により置物の内部に形成された画像を照明することができるように大きさ、形状、位置などが選ばれる。無機ＥＬシートの厚さは、好適には３０μｍ以下、より好適には２０μｍ以下、さらに好適には１５μｍ以下である。無機ＥＬシートの厚さの下限は、発光が可能な限り特に存在しないが、一般的には５μｍ以上、より一般的には８μｍ以上である。無機ＥＬシートへの給電は商用電源あるいは電池により行うことができ、必要に応じて選ばれる。無機ＥＬシートは、一般に、ポリエチレンテレフタレート（ＰＥＴ）などの透明基板上に硫化亜鉛（ＺｎＳ）に銅（Ｃｕ）をドープした蛍光体を含む発光層や電極などを積層したものを柔軟な透明フィルムによりラミネートしたものであり、最外層は透明フィルムにより構成されている。従って、この場合、詳細には、無機ＥＬシートの透明フィルムが置物の天面に密着している。
【００１０】
典型的には、無機ＥＬシートは、電気絶縁性を有する伸縮可能なテープまたはシートが引き伸ばされた状態でこの無機ＥＬシートを覆うように置物の天面に接着されていることにより置物の天面に対して押圧されている。接着剤は、典型的には、テープまたはシートの無機ＥＬシート側の面に塗布されているが、テープまたはシートには塗布せず、無機ＥＬシートの周囲の部分の置物の天面に塗布するようにしてもよい。このようにテープまたはシートにより無機ＥＬシートが置物の天面に対して押圧されることにより、フレキシブルな無機ＥＬシートが、間に空気層が介在することなく、置物の天面に密着する。テープまたはシートは典型的にはゴムからなる。ゴムは天然ゴムでも合成ゴムでも良い。合成ゴムとしては、好適には、シリコーンゴムが用いられる。置物は、典型的には、ガラスからなる。ガラスは、基本的にはどのようなものであってもよいが、例えば、ソーダガラス、クリスタルガラス（鉛ガラス）、ホウケイ酸ガラス、石英ガラスなどであるが、好適には、クリスタルガラスである。
【００１１】
また、この発明は、
透明または半透明材料内部にレーザー加工により形成された画像を有し、裏面が黒色または暗色に処理され、裏面から正面に向かって広がるように形成された傾斜した側面および天面を有する置物の天面に厚さが５０μｍ以下の無機ＥＬシートを密着させる工程を有する照明光源付き置物の製造方法である。
【００１２】
この照明光源付き置物の製造方法においては、典型的には、置物の天面に無機ＥＬシートを載せた後、電気絶縁性を有する伸縮可能なテープまたはシートを引き伸ばした状態で無機ＥＬシートを覆うように置物の天面に接着することにより置物の天面に対して無機ＥＬシートを押圧する。こうすることで、置物の天面に無機ＥＬシートを密着させることができる。
【００１３】
この照明光源付き置物の製造方法の発明においては、上記以外のことは、その性質に反しない限り、上記の照明光源付き置物の発明に関連して説明したことが成立する。
【発明の効果】
【００１４】
この発明によれば、置物の天面に密着した無機ＥＬシートから面状に発し、置物の天面に入射する光は直接、置物の内部に入射し、置物の内部に形成された画像を照明する。この際、置物の内部において置物の周囲の面に入射し、反射された光も画像の照明に寄与する。このため、置物の内部に形成された極めて高精細かつ高精度の画像を十分に際立たせることができ、高い演出効果を容易に得ることができる。しかも、外部から置物の天面を観察しても、照明光源としての無機ＥＬシートを認識することはできないため、観察者には光源の位置が分からず、独特の不思議な感覚を生じさせることができる。
【図面の簡単な説明】
【００１５】
【図１】一実施の形態による照明光源付き置物を示す斜視図である。
【図２】図１に示す照明光源付き置物の断面図である。
【図３】一実施の形態による照明光源付き置物の製造方法を示す断面図である。
【発明を実施するための形態】
【００１６】
以下、発明を実施するための形態（以下「実施の形態」とする）について説明する。
【００１７】
〈一実施の形態〉
［照明光源付き置物］
図１に照明光源付き置物を示す。図１に示すように、この照明光源付き置物は、例えばクリスタルガラスなどのガラスからなる置物１０の内部に、レーザー加工により形成された画像１１を有する。画像１１は、基本的にはどのようなものであってもよいが、図１では一例として星が図示されている。置物１０は、基本的には、特許文献１に開示されているものと同様である。すなわち、置物１０の裏面は、黒色の部材をＵＶ（紫外線）接着して暗色にした背景面となっており、両側面および天面は、裏面から正面に向かって広がるように傾斜している。
【００１８】
置物１０の天面は、底面に平行な前部と、底面に対して、正面から裏面に向かって低くなるように傾斜した後部とからなる。置物１０の天面前部に、間に空気層が介在することなく、厚さが５０μｍ以下の長方形の無機ＥＬシート２０が密着している。より詳細には、この無機ＥＬシート２０より広い、電気絶縁性を有し、伸縮可能なテープ３０が引き伸ばされた状態でこの無機ＥＬシート２０の全体を覆うように置物１０の天面に接着されている。このようにテープ３０は、引き伸ばされた状態で無機ＥＬシート２０の全体を覆っているため、このテープ３０の面内には絶えず縮もうとする力が働いている。このため、このテープ３０により覆われた無機ＥＬシート２０には、置物１０の天面前部に対して押圧する力が働く。この結果、無機ＥＬシート２０は、置物１０の天面前部に、間に空気層が介在することなく、密着している。図２に、置物１０の天面前部に密着した無機ＥＬシート２０およびテープ３０を拡大して示す。図２においては、無機ＥＬシート２０およびテープ３０の厚さを誇張して示している。このテープ３０は、典型的には、ゴム、例えばシリコーンゴムなどにより形成されている。
【００１９】
無機ＥＬシート２０に対する給電用の配線は、好適には、その厚みや太さを認識させないために例えば１０μｍ前後の厚さの超薄型偏平電極線を用いる。無機ＥＬシート２０の電源については従来公知のものを用いることができる。
【００２０】
［照明光源付き置物の製造方法］
図３Ａ〜Ｅはこの照明光源付き置物の製造方法の一例を示す。
【００２１】
図３Ａに示すように、置物１０の天面前部に無機ＥＬシート２０を載せる。この時点では、通常、置物１０の天面前部と無機ＥＬシート２０との間には空気層が介在している。
【００２２】
次に、図３Ｂに示すように、置物１０の天面前部の、無機ＥＬシート２０の一端の直ぐ隣の部分にテープ３０の一端を接着し、テープ３０を置物１０の天面前部に対して一定角度傾斜した状態に保持しながら矢印で示すように力を加えてその長手方向に十分に引き伸ばす。
【００２３】
次に、図３Ｃに示すように、テープ３０を引き続きその長手方向に十分に引き伸ばした状態で置物１０の天面前部に対する傾斜角度を小さくして天面前部に近づけ、無機ＥＬシート２０の一端部に接着する。
【００２４】
次に、テープ３０を引き続きその長手方向に引き伸ばした状態で置物１０の天面前部に対する傾斜角度をさらに小さくし、テープ３０の接着を一端部から他端部に向かって進める。こうして、図３Ｄに示すように、テープ３０の他端部だけが接着していない状態とする。
【００２５】
この後、図３Ｆに示すように、無機ＥＬシート２０の他端の直ぐ隣の部分にテープ３０の他端部を接着する。
【００２６】
以上により、図１に示す目的とする照明光源付き置物が製造される。
【００２７】
実施例
置物１０として、１０ｃｍ立方体換算の大きさを有するクリスタルガラス製置物の内部にレーザー加工により姫路城の画像を形成したものを用い、上記の照明光源付き置物の製造方法に従って照明光源付き置物を製造した。無機ＥＬシート２０としては厚さが１２μｍのものを用いた。テープ３０としてはシリコーンゴムにより形成されたものを用いた。無機ＥＬシート２０に対する給電用の配線として厚さ約１０μｍの超薄型偏平電極線を用い、この超薄型偏平電極線を置物１０の側面を経由して底面に至るように形成し、この底面で電源と接続されるようにした。
【００２８】
こうして得られた照明光源付き置物に照明を落とした部屋の中で通電し、無機ＥＬシート２０を発光させたところ、置物１０の内部の姫路城が照明されて鮮明に浮かび上がったが、置物１０をどこから見ても照明光源の存在および位置は全く分からなかった。
【００２９】
以上のように、この一実施の形態によれば、置物１０の天面前部に厚さが５０μｍ以下の無機ＥＬシート２０が密着していることにより、無機ＥＬシート２０から面状に発し、置物１０の天面前部に入射する光は直接、置物１０の内部に入射し、置物１０の内部に形成された画像１１を照明する。この際、置物１０の内部において置物１０の周囲の面に入射し、反射された光も画像の照明に寄与する。このため、無機ＥＬシート２０から面状に発する光が画像１１の照明に使用される効率が極めて高い。これによって、レーザー加工により置物１０の内部に形成された極めて高精細かつ高精度の画像１１を十分に際立たせることができ、高い演出効果を容易に得ることができる。しかも、外部から置物１０の天面を観察しても、照明光源としての無機ＥＬシート２０を認識することはできないため、観察者には光源の位置が分からず、独特の不思議な感覚を生じさせることができる。以上より、置物１０の価値を飛躍的に高めることができる。
【００３０】
以上、この発明の一実施の形態について具体的に説明したが、この発明は上述の実施の形態に限定されるものではなく、この発明の技術的思想に基づく各種の変形が可能である。
【００３１】
例えば、上述の実施の形態において挙げた数値、構成、形状、材料、方法などはあくまでも例に過ぎず、必要に応じてこれらと異なる数値、構成、形状、材料、方法などを用いてもよい。
【符号の説明】
【００３２】
１０…置物、１１…画像、２０…無機ＥＬシート、３０…テープ
【図１】
2019069548.tif 000003
【図２】
2019069548.tif 000004
【図３】
2019069548.tif 000005